(57)【要約】      （修正有）【課題】換気効率の低減の抑制をすること、及び熱交換素子をケーシングから引き出しやすくすることを両立することを実現する熱交換換気装置を提供する。【解決手段】フレームは６０Ａ、上側に延びるように形成された仕切部６０Ａ２と、仕切部６０Ａ２に接続された第１のスライド部６０Ａ３と、第１のスライド部６０Ａ３上に形成された第２のスライド部６０Ａ４とを備え、支持部は、スライド方向に延びるように形成され、第１のスライド部６０Ａ３を保持する第１のレール部２５Ｂと、平坦面である平坦部２５Ｃ１及び第２のスライド部６０Ａ４が嵌まり込む嵌込部２５Ｃ２を有し、第１のレール部２５Ｂ上に形成され、第２のスライド部６０Ａ４を摺動自在に保持する第２のレール部２５Ｃとを備えたものである。【選択図】図４
2015114013.tif 000002
【特許請求の範囲】
【請求項１】
給気路及び排気路を有するケーシングと、
前記ケーシング内に設けられ、前記給気路の空気と前記排気路の空気との熱交換を行う熱交換素子と、
前記熱交換素子に設けられ、前記熱交換素子を前記ケーシングに着脱するのに利用されるフレームと、
前記ケーシングに設けられ、前記フレームを介して前記熱交換素子をスライド可能に支持する支持部と、
を備え、
前記フレームは、
上側に延びるように形成された仕切部と、
前記仕切部に接続された第１のスライド部と、
前記第１のスライド部上に形成された第２のスライド部とを備え、
前記支持部は、
スライド方向に延びるように形成され、前記第１のスライド部を保持する第１のレール部と、
平坦面である平坦部及び前記第２のスライド部が嵌まり込む嵌込部を有し、前記第１のレール部上に形成され、前記第２のスライド部を摺動自在に保持する第２のレール部とを備えた
ことを特徴とする熱交換換気装置。
【請求項２】
前記第１のレール部上に設けられたシール部をさらに有し、
前記支持部は、
前記平坦部に前記第２のスライド部が接触している状態において、前記第１のスライド部の下面と前記第１のレール部の前記シール部との間が離間し、
前記嵌込部に前記第２のスライド部が接触している状態において、前記平坦部で支持されているときよりも下側に移動して前記第１のスライド部の下面と前記第１のレール部の前記シール部とが密着するように構成された
ことを特徴とする請求項１に記載の熱交換換気装置。
【請求項３】
前記嵌込部は、
前記平坦部よりも下側に突出するように凹状に形成されて構成された
ことを特徴とする請求項１又は２に記載の熱交換換気装置。
【請求項４】
前記嵌込部は、
前記平坦部に形成された切欠部で構成された
ことを特徴とする請求項１又は２に記載の熱交換換気装置。
【請求項５】
前記熱交換素子は、
上側に配置される上側角部と、下側に配置され、前記上側角部とは対角の位置に設けられている下側角部とを有し、
前記上側角部には、
前記フレームが設けられ、
前記下側角部には、
下側に延びるように形成された下部仕切部を有し、前記熱交換素子を前記ケーシングに着脱するのに利用される下部フレームが設けられている
ことを特徴とする請求項１〜４のいずれか一項に記載の熱交換換気装置。
【請求項６】
前記下部フレームの対向位置に配置され、前記下部仕切部を支持する下部支持部と、
前記下部支持部上に設けられた下部シール部とをさらに有し、
前記下部仕切部は、
前記第１のスライド部の下面と前記第１のレール部の前記シール部とが接触している状態において、前記下部シール部に密着する
ことを特徴とする請求項５に記載の熱交換換気装置。
【請求項７】
前記支持部、前記仕切部、及び前記第１のスライド部は、
前記排気路のうちの前記熱交換素子の下流側と前記給気路のうち前記熱交換素子の下流側とを区画するように設けられ、
前記下部支持部、及び前記下部仕切部は、
前記排気路のうちの前記熱交換素子の上流側と前記給気路のうち前記熱交換素子の上流側とを区画するように設けられている
ことを特徴とする請求項６に記載の熱交換換気装置。
【請求項８】
前記熱交換素子は、
前記上側角部と前記下側角部との間の高さ位置に設けられ、対角の位置関係にある２つの中間角部を有し、
前記２つの中間角部には、
水平方向に延びるように形成された中間仕切部を有し、前記熱交換素子を前記ケーシングに着脱するのに利用される中間フレームがそれぞれ設けられている
ことを特徴とする請求項５〜７のいずれか一項に記載の熱交換換気装置。
【請求項９】
前記中間フレームの対向位置に配置され、前記中間仕切部を支持する中間支持部と、
前記中間支持部上に設けられた中間シール部とをさらに有し、
前記中間仕切部は、
前記第１のスライド部の下面と前記第１のレール部の前記シール部とが接触している状態において、前記中間シール部に密着する
ことを特徴とする請求項８に記載の熱交換換気装置。
【請求項１０】
前記中間支持部の一方、及び前記中間仕切部の一方は、
前記排気路のうちの前記熱交換素子の上流側と前記給気路のうち前記熱交換素子の下流側とを区画するように設けられ、
前記中間支持部の他方、及び前記中間仕切部の他方は、
前記給気路のうちの前記熱交換素子の上流側と前記排気路のうち前記熱交換素子の下流側とを区画するように設けられている
ことを特徴とする請求項９に記載の熱交換換気装置。
【請求項１１】
前記第２のスライド部は前記熱交換素子の長手方向に複数形成され、
前記第２のレール部の前記嵌込部は前記第２のスライド部が形成された数に対応するように複数形成されている
ことを特徴とする請求項１〜１０のいずれか一項に記載の熱交換換気装置。
【請求項１２】
前記支持部及び前記第２のスライド部は、
前記熱交換素子を挿抜しているときに、前記第２のスライド部が予め定められた前記嵌込部とは異なる前記嵌込部に嵌りこまないように構成されている
ことを特徴とする請求項１〜１１のいずれか一項に記載の熱交換換気装置。
【発明の詳細な説明】
【技術分野】
【０００１】
本発明は、熱交換換気装置に関するものである。
【背景技術】
【０００２】
換気装置には、室外空気対室内空気との熱交換を行う熱交換素子が搭載され、熱交換を行いながら同時給排気により換気を行う熱交換換気装置が各種提案されている。熱交換換気装置を使用していると、空気中に含まれる塵、埃などが熱交換素子に付着してしまう場合がある。このように、塵、埃などが熱交換素子に付着して目詰まりすると圧力損失が低減したり、この付着した塵、埃などが室内などの空調対象空間に送り込まれてしまってユーザの快適性を損ねてしまったりする可能性がある。このため、ユーザ及び管理会社などは、熱交換素子を熱交換換気装置のケーシングから取り出し、熱交換素子などの定期的な清掃、メンテナンス作業を実施することが求められている。
【０００３】
ここで、熱交換素子を熱交換換気装置のケーシング内から引き出して取り出すのに利用される構造として、ケーシング内にレール（隔壁）を設けたものが提案されている（たとえば、特許文献１、２参照）。
【先行技術文献】
【特許文献】
【０００４】
【特許文献１】特許第５０６３４５１号公報（たとえば、図１参照）
【特許文献２】特開昭６３−１９４１９２号公報（たとえば、図１参照）
【発明の概要】
【発明が解決しようとする課題】
【０００５】
特許文献１、２に記載のようなケーシング内のレール（隔壁）は、給気路と排気路とを区画するように配置されている。このため、たとえば熱交換素子の設置位置がレール上の予め設定された位置からずれていたりすると、レールと熱交換素子との間に隙間が形成されてしまう場合がある。この場合、（レールと熱交換素子との間に隙間が形成されてしまうと）給気路の給気と排気路の排気とが混じりあってしまい、換気効率が低減してしまう。
【０００６】
そこで、レールと熱交換素子との間に形成されるクリアランスを狭め、レールと熱交換素子との間に隙間が形成されてしまうことを抑制する手段も考えられる。しかし、この手段を採用すると、熱交換素子をケーシングから引き出しにくくなる。これにより、ユーザ及び管理会社などの定期的な清掃、メンテナンス作業の負担が増大してしまう。
【０００７】
このように、従来の技術では、換気効率の低減の抑制をすること、及び熱交換素子をケーシングから引き出しやすくすることを両立しにくいという課題がある。
【０００８】
本発明は、以上のような課題を解決するためになされたもので、換気効率の低減の抑制をすること、及び熱交換素子をケーシングから引き出しやすくすることを両立することを実現する熱交換換気装置を提供することを目的としている。
【課題を解決するための手段】
【０００９】
本発明に係る熱交換換気装置は、給気路及び排気路を有するケーシングと、ケーシング内に設けられ、給気路の空気と排気路の空気との熱交換を行う熱交換素子と、熱交換素子に設けられ、熱交換素子をケーシングに着脱するのに利用されるフレームと、ケーシングに設けられ、前記フレームを介して熱交換素子をスライド可能に支持する支持部と、を備え、フレームは、上側に延びるように形成された仕切部と、仕切部に接続された第１のスライド部と、第１のスライド部上に形成された第２のスライド部とを備え、支持部は、スライド方向に延びるように形成され、第１のスライド部を保持する第１のレール部と、平坦面である平坦部及び第２のスライド部が嵌まり込む嵌込部を有し、第１のレール部上に形成され、第２のスライド部を摺動自在に保持する第２のレール部とを備えたものである。
【発明の効果】
【００１０】
本発明に係る熱交換換気装置によれば、上記構成を有しているため、換気効率の低減の抑制をすること、及び熱交換素子をケーシングから引き出しやすくすることを両立することを実現することができる。
【図面の簡単な説明】
【００１１】
【図１】本発明の実施の形態１に係る熱交換換気装置の全体斜視図である。
【図２】本発明の実施の形態１に係る熱交換換気装置の縦断面を模式的に示した図である。
【図３】本発明の実施の形態１に係る熱交換換気装置の上部支持部、熱交換素子の第１のスライド部及び第２のスライド部の説明図である。
【図４】本発明の実施の形態１に係る熱交換換気装置の上部支持部の片側、熱交換素子の第１のスライド部及び第２のスライド部の方側の斜視図である。
【図５】本発明の実施の形態１に係る熱交換換気装置の中間支持部などの説明図である。
【図６】本発明の実施の形態１に係る熱交換換気装置の下部支持部などの説明図である。
【図７】本発明の実施の形態２に係る熱交換換気装置の上部支持部の片側、熱交換素子の第１のスライド部及び第２のスライド部の片側の斜視図である。
【図８】第２のスライド部が切欠部に嵌りこんだ状態の説明図である。
【発明を実施するための形態】
【００１２】
以下、本発明の実施の形態を図面に基づいて説明する。本発明は、下記の実施の形態に限定されるものではない。
実施の形態１．
図１は、実施の形態１に係る熱交換換気装置の全体斜視図である。図２は、実施の形態１に係る熱交換換気装置の縦断面を模式的に示した図である。なお、図１は、熱交換換気装置の天板１Ｂを外し、熱交換換気装置の内部が見える状態の図面である。また、図２は、給気ファンユニット３及び排気ファンユニット４について模式的に示している。
本実施の形態１に係る熱交換換気装置は、換気効率の低減の抑制をすること、及び熱交換素子６をケーシング１から引き出しやすくすることを両立することを実現することができる。
【００１３】
熱交換換気装置は、空調対象空間（たとえば、家、ビル、倉庫など）の空気を取り込んで空調対象空間外に排出するとともに、空調対象空間外の空気を取り込んで空調対象空間に供給することができるものである。なお、以下の説明においては、空調対象空間が、家の室内である場合を例に説明する。
【００１４】
［構成説明］
熱交換換気装置は、図１及び図２に示すように、各種機器が搭載されるケーシング１と、取り込んだ室外空気と室内空気とを熱交換させる熱交換素子６と、室外空気を取り込む給気ファンユニット３と、室内空気を取り込む排気ファンユニット４と、各種機器を制御する制御装置５が設けられた回路ボックス１ａ２と、を有している。
【００１５】
（ケーシング１）
ケーシング１は、たとえば直方体形状の箱体であり、熱交換換気装置の外郭を構成するとともに、給気及び排気が流れる風路を有しているものである。ケーシング１には、給気ファンユニット３と、排気ファンユニット４と、熱交換素子６とが少なくとも搭載されている。
【００１６】
ケーシング１は、室外から室外空気を取り込むのに利用される外気吸込口２１と、室内に給気をするのに利用される外気吹出口２２と、ケーシング１内に設けられ、外気吸込口２１と外気吹出口２２とを接続する給気路Ａとを有している。また、ケーシング１は、室内から室内空気を取り込むのに利用される室内空気吸込口２３と、室外に排気をするのに利用される室内空気吹出口２４と、ケーシング１内に設けられ、室内空気吸込口２３と室内空気吹出口２４とを接続する排気路Ｂとを有している。
【００１７】
なお、図示は省略しているが、外気吸込口２１、外気吹出口２２、室内空気吸込口２３、及び室内空気吹出口２４は、たとえばダクトなどを介して室内、室外などに接続される。
【００１８】
ケーシング１は、給気が流れる給気路Ａ及び排気が流れる排気路Ｂを有している。そして、給気路Ａと排気路Ｂは、給気と排気とが混合しないように、全経路にわたり互いに独立して設けられている。給気路Ａの給気と、排気路Ｂの排気とを熱交換させることができるように熱交換素子６が設けられている。給気路Ａには、上流側から、外気吸込口２１、熱交換素子６、給気ファンユニット３、及び外気吹出口２２が配置される。排気路Ｂには、上流側から、室内空気吸込口２３、熱交換素子６、排気ファンユニット４、及び室内空気吹出口２４が配置される。
【００１９】
ケーシング１は、直方体状に形成されており、底面１Ａと、底面１Ａの対向側に配置される天板１Ｂと、第１側面１ａと、第１側面１ａの対向側に配置される第２側面１ｂと、第３側面１ｃと、第３側面１ｃに対向する側に配置される第４側面１ｄとを有している。
【００２０】
第１側面１ａには、回路ボックス１ａ２が取り付けられている。また、第１側面１ａには、熱交換素子６の取り付け、取り外し時などに開放する熱交換素子メンテナンスパネル１ａ１と、給気ファンユニット３及び排気ファンユニット４の回転数などを制御する制御装置５などが設置された回路ボックス１ａ２とが取り付けられている。
【００２１】
作業者は、熱交換素子メンテナンスパネル１ａ１を開放することで、熱交換素子６を、メンテナンス時に、第１側面１ａ及び第２側面１ｂに平行な方向（矢印のＹ方向）にスライド移動させることで、ケーシング１から引き出すことができる。また、第３側面１ｃには、外気吹出口２２及び室内空気吸込口２３が形成されている。さらに、第４側面１ｄには、外気吸込口２１及び室内空気吹出口２４が形成されている。
【００２２】
（熱交換素子６）
熱交換素子６は、たとえば第３側面１ｃ側から第４側面１ｄ側に向かう方向、すなわち図１のＹ方向を長手方向とする直方体状部材である。熱交換素子６は、ケーシング１内に収容されている状態において、上側に配置される上側角部６Ａと、下側に配置され、上側角部６Ａとは対角の位置に設けられている下側角部６Ｄと、上側角部６Ａと下側角部６Ｄとの間の高さ位置に設けられ、対角の位置関係にある中間角部６Ｂ及び中間角部６Ｃとを有している。
【００２３】
熱交換素子６は、ケーシング１に導入した室外空気と、室内空気とを熱交換させるものである。すなわち、熱交換素子６は、給気路Ａを通過する給気と、排気路Ｂを通過する排気との間で、熱交換を行わせるものである。この熱交換素子６は、たとえば、シート状の紙製の仕切り部材と、山谷に折られて波形の紙製の間隔保持部材とを交互に、そして間隔保持部材の折り目が互い違いになるように積層して構成したものである。そして、仕切り部材とこの仕切り部材の一方の面に隣接する間隔保持部材との間には第１の流路が複数形成されるとともに、仕切り部材とこの仕切り部材の他方の面に隣接する間隔保持部材との間には第２の流路が複数形成されている。第１の流路及び第２の流路のうちの一方が、給気路Ａの一部を構成し、他方が排気路Ｂの一部を構成する。このように、熱交換素子６は、この仕切り部材及び間隔保持部材を有する熱交換部材６１を備えているものである。
【００２４】
第１の流路と第２の流路とは、仕切り部材及び間隔保持部材によって隔てられているので、第１の流路を流れる空気と第２の流路を流れる空気とは混合しないようになっている。第１の流路と第２の流路とは、熱交換素子６において交差するように設けられており、第１の流路を流れる空気と第２の流路を流れる空気との間で、仕切り部材を介して、顕熱の交換及び潜熱の交換が行われるようになっている。なお、図示は省略しているが、熱交換素子６には、排気する空気に含まれるホコリなどを除去する還気フィルタ、及び給気する空気に含まれるホコリなどを除去する外気フィルタなどが必要に応じて取り付けられる。熱交換素子６をケーシング１に取り付けるのに利用される構成などについては、図３〜図６で詳しく説明する。
【００２５】
（給気ファンユニット３及び排気ファンユニット４）
給気ファンユニット３及び排気ファンユニット４は、ケーシング１内に空気を取り込み放出するのに利用されるものである。給気ファンユニット３及び排気ファンユニット４は、回転するファンと、ファンを回転させるモータと、ファン及びモータなどが搭載されるファンケーシングとを有するものである。
【００２６】
そして、給気ファンユニット３が駆動することにより、室外空気が、外気吸込口２１からケーシング１内に取り込まれる。外気吸込口２１からケーシング１内に取込まれた室外空気は、熱交換素子６、給気ファンユニット３及び外気吹出口２２を介して室内に吹出される。ケーシング１内での外気の流れを、図２の矢印Ａ１で示している。
【００２７】
排気ファンユニット４が駆動することにより、室内空気が、室内空気吸込口２３からケーシング１内に取り込まれる。室内空気吸込口２３からケーシング１内に取り込まれ室内空気は、排気ファンユニット４、室内空気吹出口２４を介して室外に吹き出される。ケーシング１内での室内空気の流れを、図２の矢印Ｂ１で示している。
【００２８】
［熱交換素子６の支持機構などの説明］
図３は、実施の形態１に係る熱交換換気装置の上部支持部２５、熱交換素子の第１のスライド部６０Ａ３及び第２のスライド部６０Ａ４の説明図である。図４は、実施の形態１に係る熱交換換気装置の上部支持部２５の片側（左側）、熱交換素子６の第１のスライド部６０Ａ３及び第２のスライド部６０Ａ４の方側（左側）の斜視図である。図５は、実施の形態１に係る熱交換換気装置の中間支持部２６及び中間支持部２７などの説明図である。図６は、実施の形態１に係る熱交換換気装置の下部支持部２８などの説明図である。なお、図３は、長手方向と直交と直交する面の縦断面図である。また、図４は、図３に示すＺ１断面のうちの左側についてを図示している。図５（ａ）は中間支持部２６に関する説明図であり、図５（ｂ）は中間支持部２７に関する説明図である。図３〜図６を参照して、熱交換素子６をケーシング１に取り付けるのに利用される構成などについて説明する。
【００２９】
熱交換素子６は、熱交換素子６をケーシング１に着脱するのに利用される上部フレーム６０Ａ、中間フレーム６０Ｂ、中間フレーム６０Ｃ及び下部フレーム６０Ｄが設けられている。
【００３０】
また、ケーシング１は、熱交換素子６を支持する上部支持部２５、中間支持部２６、中間支持部２７及び下部支持部２８を有している。すなわち、底面１Ａには、熱交換素子６の角部のうちの下側のものを支持する部分である下部支持部２８が設けられ、天板１Ｂには、熱交換素子６の角部のうちの上側を支持する部分である上部支持部２５が設けられている。また、ケーシング１内には、熱交換素子６の角部のうちの中間位置のものを支持する中間支持部２６及び中間支持部２７が設けられている。
上部支持部２５は、ケーシング１に設けられ、熱交換素子６をスライド可能に支持するものであり、第１のレール部２５Ｂ及び第２のレール部２５Ｃを有している。第２のレール部２５Ｃには、平坦部２５Ｃ１及び嵌込部２５Ｃ２が形成されている。
【００３１】
（上部フレーム６０Ａ）
上部フレーム６０Ａは、図３に示すように、熱交換素子６の上側角部６Ａに設けられているものである。上部フレーム６０Ａは、熱交換部材６１に接続される結合部６０Ａ１と、結合部６０Ａ１から上側に延びるように形成された上部仕切部６０Ａ２と、上部仕切部６０Ａ２に形成された第１のスライド部６０Ａ３と、第１のスライド部６０Ａ３の上側に形成された第２のスライド部６０Ａ４と、第１のスライド部６０Ａ３と第２のスライド部６０Ａ４とを接続する接続部６０Ａ５とを有している。
【００３２】
結合部６０Ａ１は、熱交換部材６１に接続されるものである。結合部６０Ａ１は、たとえば上側角部６Ａの形状に合わせ、上側角部６Ａに沿うように形成されているものである。すなわち、結合部６０Ａ１は、縦断面形状がたとえばＬ字状に形成されているものである。
【００３３】
上部仕切部６０Ａ２は、熱交換素子６の上部から上側に延びるように形成されたものである。すなわち、上部仕切部６０Ａ２は、結合部６０Ａ１から上側に延びるように形成されているものである。すなわち、上部仕切部６０Ａ２は、熱交換素子６の長手方向（矢印Ｙ方向）の全域に渡って形成され、結合部６０Ａ１と第１のスライド部６０Ａ３とを接続するものである。上部仕切部６０Ａ２は、上部支持部２５の併設されている２つの第１のレール部２５Ｂの間に配置されている。
【００３４】
第１のスライド部６０Ａ３は、上部仕切部６０Ａ２の中間部分から水平方向に延びるように設けられている平板状部材である。第１のスライド部６０Ａ３は、上部仕切部６０Ａ２に接続されているものであり、上部シール部４０Ａを介して第１のレール部２５Ｂ上を摺動自在に設けられているものである。第１のスライド部６０Ａ３は、上部仕切部６０Ａ２の両側に形成されているものである。すなわち、第１のスライド部６０Ａ３は、図３に示すＸ方向のうちの右側に延出するものと左側に延出するものが形成されている。第１のスライド部６０Ａ３は、第２のスライド部６０Ａ４と第２のレール部２５Ｃとが接触しているときには、第１のレール部２５Ｂの上に設けられた上部シール部４０Ａとは接触せず、予め設定された距離ｔだけ上側に設けられている。
【００３５】
第２のスライド部６０Ａ４は、接続部６０Ａ５の上端に設けられているものである。第２のスライド部６０Ａ４は、上部仕切部６０Ａ２の上端側にて交差するように接続されているものである。第２のスライド部６０Ａ４は、上部仕切部６０Ａ２及び接続部６０Ａ５を境として両側に形成されているものである。すなわち、第２のスライド部６０Ａ４は、図３に示すＸ方向のうちの右側に延出するものと左側に延出するものが形成されている。第２のスライド部６０Ａ４は、メンテナンスをする作業者などが、熱交換素子６をケーシング１内に対してスライド移動させているときに、第２のレール部２５Ｃと接触して熱交換素子６を支持するものである。そして、第２のスライド部６０Ａ４が、第２のレール部２５Ｃの予め設定された位置（嵌込部２５Ｃ２）に位置していると、第２のスライド部６０Ａ４の高さ位置が低くなり、これに伴って第１のスライド部６０Ａ３の高さ一も低くなり上部シール部４０Ａの上面と接触することとなる。
【００３６】
接続部６０Ａ５は、熱交換素子６の長手方向（矢印Ｙ方向）に対して断片的に複数設けられている。接続部６０Ａ５は下端側が第１のスライド部６０Ａ３に接続され、第２のスライド部６０Ａ４が接続部６０Ａ５の上端に接続されている。接続部６０Ａ５は、上部支持部２５の併設されている２つの第２のレール部２５Ｃの間に配置されている。なお、接続部６０Ａ５は、たとえば単体であってもよいし、複数設けられていてもよい。ここで、接続部６０Ａ５を単体とする場合においては、たとえば、熱交換素子６の長手方向を長手辺とする長方形形状の板材で接続部６０Ａ５を構成し、上端側に複数の第２のスライド部６０Ａ４を設けるとよい。また、接続部６０Ａ５を複数設ける場合においては、図４に示すように１つの接続部６０Ａ５に１つの第２のスライド部６０Ａ４を設けてもよいし、図示は省略しているが１つの接続部６０Ａ５に複数の第２のスライド部６０Ａ４を設けてもよい。
【００３７】
（中間フレーム６０Ｂ及び中間フレーム６０Ｃ）
中間フレーム６０Ｂは、熱交換素子６の中間角部６Ｂに設けられ、熱交換部材６１と中間フレーム６０Ｂとを接続する結合部６０Ｂ１と、結合部６０Ｂ１から水平方向に延びるように形成された中間仕切部６０Ｂ２とを有している。中間フレーム６０Ｃは、熱交換素子６の中間角部６Ｃに設けられ、熱交換部材６１に接続される結合部６０Ｃ１と、結合部６０Ｃ１から水平方向に延びるように形成された中間仕切部６０Ｃ２とを有している。
【００３８】
中間仕切部６０Ｂ２及び中間仕切部６０Ｃ２は、水平方向に延びるように形成されている長方形形状の板材である。中間仕切部６０Ｂ２は、中間シール部４０Ｃが設けられた中間支持部２７上に設けられているものであり、中間仕切部６０Ｃ２は、中間シール部４０Ｂが設けられた中間支持部２６上に設けられているものである。
なお、本実施の形態１では、中間フレーム６０Ｂ及び中間フレーム６０Ｃの形状は同様であり、また、結合部６０Ｂ１及び結合部６０Ｃ１の形状は、結合部６０Ａ１と同様であるが、これらの形状については異なっていてもよい。
【００３９】
（下部フレーム６０Ｄ）
下部フレーム６０Ｄは、熱交換素子６の下側角部６Ｄに設けられ、熱交換部材６１に接続される結合部６０Ｄ１と、結合部６０Ｄ１から鉛直方向（下側）に延びるように形成された下部仕切部６０Ｄ２を有している。
【００４０】
下部仕切部６０Ｄ２は、鉛直方向に延びるように形成された長方形形状の板材と、この板材の下端側に接続され、水平方向に延びるように形成された長方形形状の板材とを有するものである。下部仕切部６０Ｄ２の下側には、下部シール部４０Ｄが設けられている。なお、本実施の形態１では、結合部６０Ｄ１の形状は、結合部６０Ａ１と同様であるが、形状は異なっていてもよい。
【００４１】
（上部支持部２５）
上部支持部２５は、図２に示すように、天板１Ｂに取り付けられているものである。図３の上部支持部２５は、天板１Ｂに接続されている接続部２５Ａと、スライド方向に延びるように形成され、上面に取付られた上部シール部４０Ａを介して第１のスライド部６０Ａ３を保持する第１のレール部２５Ｂと、平坦面である平坦部２５Ｃ１及び第２のスライド部６０Ａ４が嵌まり込む嵌込部２５Ｃ２を有し、第１のレール部２５Ｂ上に形成され、第２のスライド部６０Ａ４を摺動自在に保持する第２のレール部２５Ｃとを有する。なお、本実施の形態１では、嵌込部２５Ｃ２は、平坦部２５Ｃ１よりも下側に突出するように湾曲し、凹状に形成されたもので構成されている。
【００４２】
接続部２５Ａには、第１のレール部２５Ｂ及び第２のレール部２５Ｃが接続されている。第１のレール部２５Ｂ及び第２のレール部２５Ｃは、熱交換素子６の上側角部６Ａの長手方向の全域に渡って延びるように形成されているものである。すなわち、本実施の形態１においては、接続部６０Ａ５及び第２のスライド部６０Ａ４については長手方向に断続的に形成されたものであったが、第１のレール部２５Ｂ及び第２のレール部２５Ｃについては、たとえば熱交換素子６の長手方向の全域に渡って形成されているとよい。長手方向の全域に渡って形成されていると、より確実に熱交換素子６を保持することができる。
【００４３】
上部支持部２５は、排気路Ｂのうちの熱交換素子６の下流側と給気路Ａのうち熱交換素子６の下流側とを区画するように設けられている。すなわち、上部支持部２５は、上部仕切部６０Ａ２及び第１のスライド部６０Ａ３と協働して、給気路Ａと排気路Ｂとを隔てる隔壁としての機能を有している。
【００４４】
上部支持部２５は、平坦部２５Ｃ１に第２のスライド部６０Ａ４が接触している状態において、第１のスライド部６０Ａ３の下面と第１のレール部２５Ｂの上部シール部４０Ａとの間が離間している。そして、上部支持部２５は、嵌込部２５Ｃ２に第２のスライド部６０Ａ４が接触している状態においては、平坦部２５Ｃ１で支持されているときよりも下側に移動することになるので、第１のスライド部６０Ａ３の下面と第１のレール部２５Ｂの上部シール部４０Ａとが接触する。
【００４５】
なお、第２のスライド部６０Ａ４が第２のレール部２５Ｃと接触しているときには、第１のスライド部６０Ａ３と第１のレール部２５Ｂの上部シール部４０Ａ、中間仕切部６０Ｂ２と中間支持部２６の中間シール部４０Ｂ、中間仕切部６０Ｃ２と中間支持部２７の中間シール部４０Ｃ、及び、下部仕切部６０Ｄ２と下部支持部２８の下部シール部４０Ｄは、それぞれ離間している。このように、本実施の形態１に係る熱交換換気装置では、熱交換素子６の挿抜時において、第２のスライド部６０Ａ４と第２のレール部２５Ｃとにおいて接触するものであり、接触面積が抑制されている分、挿抜時の熱交換素子６とケーシング１との摩擦が抑制され、より小さい力で熱交換素子６をケーシング１に挿抜することができる。
【００４６】
第２のレール部２５Ｃの嵌込部２５Ｃ２は、第２のスライド部６０Ａ４が形成された数に対応するように複数形成されている。
【００４７】
（中間支持部２６及び中間支持部２７）
中間支持部２６は、中間仕切部６０Ｂ２の対向位置に配置され、中間シール部４０Ｂを介して中間仕切部６０Ｂ２を支持するものである。また、中間支持部２７は、中間仕切部６０Ｃ２の対向位置に配置され、中間シール部４０Ｃを介して中間仕切部６０Ｃ２を支持するものである。このように、熱交換素子６は、ケーシング１内に収容されている状態において、一方の側方（中間角部６Ｂ）及び他方の側方（中間角部６Ｃ）が、中間支持部２６及び中間支持部２７によって支持される。中間支持部２６の上面には、中間シール部４０Ｂが設けられ、中間支持部２７の上面には、中間シール部４０Ｃが設けられている。
【００４８】
中間支持部２６及び中間支持部２７は、熱交換素子６が下側に降りた状態、すなわち第１のレール部２５Ｂ上の上部シール部４０Ａと第１のスライド部６０Ａ３とが接触している状態において、中間仕切部６０Ｂ２及び中間仕切部６０Ｃ２を支持する。
中間支持部２６及び中間支持部２７のうちの一方である中間支持部２６は、排気路Ｂのうちの熱交換素子６の上流側と給気路Ａのうち熱交換素子６の下流側とを区画するように設けられている。また、中間支持部２６及び中間支持部２７のうちの他方である中間支持部２７は、給気路Ａのうちの熱交換素子６の上流側と排気路Ｂのうち熱交換素子６の下流側とを区画するように設けられている。すなわち、中間支持部２６及び中間支持部２７は、中間仕切部６０Ｂ２及び中間仕切部６０Ｃ２と協働して、給気路Ａと排気路Ｂとを隔てる隔壁としての機能を有している。
【００４９】
（下部支持部２８）
下部支持部２８は、下部仕切部６０Ｄ２の下側の対向位置に配置され、下部シール部４０Ｄを介して下部仕切部６０Ｄ２を支持するものである。下部支持部２８の上面には、下部シール部４０Ｄが設けられている。下部支持部２８は、熱交換素子６が下側に降りた状態、すなわち第１のレール部２５Ｂ上の上部シール部４０Ａと第１のスライド部６０Ａ３とが接触している状態において、下部仕切部６０Ｄ２を支持する。下部支持部２８は、排気路Ｂのうちの熱交換素子６の上流側と給気路Ａのうち熱交換素子６の上流側とを区画するように設けられているものである。すなわち、下部支持部２８は、下部仕切部６０Ｄ２と協働して、給気路Ａと排気路Ｂとを隔てる隔壁としての機能を有している。
【００５０】
なお、図１及び図２で説明した外気吸込口２１は、第２側面１ｂの内側面、底面１Ａの内側面、中間支持部２７、中間シール部４０Ｃ、中間フレーム６０Ｃ、下部支持部２８、下部シール部４０Ｄ及び下部フレーム６０Ｄなどで区画された空間（給気路Ａ）に連通している。
また、外気吹出口２２は、第１側面１ａの内側面、天板１Ｂの内側面、上部支持部２５、上部シール部４０Ａ、上部フレーム６０Ａ、中間支持部２６、中間シール部４０Ｂ及び中間フレーム６０Ｂなどで区画された空間（給気路Ａ）に連通している。
また、室内空気吸込口２３は、第１側面１ａの内側面、底面１Ａの内側面、中間支持部２６、中間シール部４０Ｂ、中間フレーム６０Ｂ、下部支持部２８、下部シール部４０Ｄ及び下部フレーム６０Ｄなどで区画された空間（排気路Ｂ）に連通している。
さらに、室内空気吹出口２４は、第２側面１ｂの内側面、天板１Ｂの内側面、上部支持部２５、上部シール部４０Ａ、上部フレーム６０Ａ、中間支持部２７、中間シール部４０Ｃ及び中間フレーム６０Ｃなどで区画された空間（排気路Ｂ）に連通している。
【００５１】
ここで、上部支持部２５、上部仕切部６０Ａ２、及び第１のスライド部６０Ａ３は、排気路Ｂのうちの熱交換素子６の下流側と給気路Ａのうち熱交換素子６の下流側とを区画するように設けられている。このように、上部支持部２５、上部仕切部６０Ａ２、及び第１のスライド部６０Ａ３は、給気路Ａと排気路Ｂとの空気が混合しないように、気密性を確保する部材として機能している。
また、下部支持部２８、及び下部仕切部６０Ｄ２は、排気路Ｂのうちの熱交換素子６の上流側と給気路Ａのうち熱交換素子６の上流側とを区画するように設けられている。このように、下部支持部２８、及び下部仕切部６０Ｄ２も、給気路Ａと排気路Ｂとの空気が混合しないように、気密性を確保する部材として機能している。
【００５２】
さらに、中間支持部２６、及び中間仕切部６０Ｂ２は、排気路Ｂのうちの熱交換素子６の上流側と給気路Ａのうち熱交換素子６の下流側とを区画するように設けられ、中間支持部２７、及び中間仕切部６０Ｃ２は、給気路Ａのうちの熱交換素子６の上流側と排気路Ｂのうち熱交換素子６の下流側とを区画するように設けられている。このように、中間支持部２６、中間仕切部６０Ｂ２、中間支持部２７、及び中間仕切部６０Ｃ２についても、給気路Ａと排気路Ｂとの空気が混合しないように、気密性を確保する部材として機能している。
【００５３】
［熱交換素子６の動作説明］
第２のスライド部６０Ａ４と上部シール部４０Ａの間隔をｆ、第２のレール部２５Ｃの平坦部２５Ｃ１と上部シール部４０Ａとの間隔をｓ、嵌込部２５Ｃ２の深さをｅ、上部シール部４０Ａ、中間シール部４０Ｂ、下部シール部４０Ｄ及び中間シール部４０Ｃの厚さをｔとする。
第２のスライド部６０Ａ４と第２のレール部２５Ｃの平坦部２５Ｃ１が接触している時には、それぞれの大小関係がｆ＞（ｓ−ｔ）となっている。このため、第１のスライド部６０Ａ３と上部シール部４０Ａとが接触していない状態となっている。この状態において、第２のスライド部６０Ａ４は、平坦部２５Ｃ１上を、熱交換素子６の長手方向にスライド移動自在となっている。
【００５４】
熱交換素子６を予め設定された位置に移動し、複数設けた全ての第２のスライド部６０Ａ４が、複数設けた全ての嵌込部２５Ｃ２と一致する位置になった場合に、上部フレーム６０Ａは、嵌込部２５Ｃ２の深さの分だけ下方に移動する。この時、各部の大小関係が（ｆ―ｅ）≦（ｓ−ｔ）となっていることから、第１のスライド部６０Ａ３と上部シール部４０Ａとは接触する。
【００５５】
また、熱交換素子６が下方に移動したため、中間仕切部６０Ｂ２と中間シール部４０Ｂとが接触するとともに（図５（ａ）参照）、中間仕切部６０Ｃ２と中間シール部４０Ｃとが接触し（図５（ｂ）参照）、さらに、下部仕切部６０Ｄ２と下部シール部４０Ｄとが接触する（図６参照）。このように、複数設けた全ての第２のスライド部６０Ａ４が、複数設けた全ての嵌込部２５Ｃ２と一致する位置となった場合には、熱交換素子６が下方に移動する、すなわち上部フレーム６０Ａ、中間フレーム６０Ｂ、中間フレーム６０Ｃ及び下部フレーム６０Ｄが下方に移動し、熱交換素子６の自重を上部シール部４０Ａ、中間シール部４０Ｂ、下部シール部４０Ｄ及び中間シール部４０Ｃで支持することになる。熱交換素子６の自重が、上部シール部４０Ａ、中間シール部４０Ｂ、下部シール部４０Ｄ及び中間シール部４０Ｃに加わると、上部シール部４０Ａ、中間シール部４０Ｂ、中間シール部４０Ｃ及び下部シール部４０Ｄは圧縮される。これにより、隣接する給気路Ａ側の空気と排気路Ｂ側の空気とが混合しないように両風路間の気密性を確保することができる。
【００５６】
なお、ここでは、上部シール部４０Ａ、中間シール部４０Ｂ、中間シール部４０Ｃ及び下部シール部４０Ｄが圧縮されるとの説明をしたが、それに限定されるものではない。すなわち、第１のスライド部６０Ａ３と上部シール部４０Ａとが接触し、中間仕切部６０Ｂ２と中間シール部４０Ｂとが接触し、中間仕切部６０Ｃ２と中間シール部４０Ｃとが接触し、下部仕切部６０Ｄ２と下部シール部４０Ｄとが接触していれば、両風路間の気密性を確保することができるので、必ずしも圧縮されている必要はない。ただし、上部シール部４０Ａ、中間シール部４０Ｂ、中間シール部４０Ｃ及び下部シール部４０Ｄが圧縮されていると、第１のスライド部６０Ａ３と上部シール部４０Ａとが密着し、中間仕切部６０Ｂ２と中間シール部４０Ｂとが密着し、中間仕切部６０Ｃ２と中間シール部４０Ｃとが密着し、下部仕切部６０Ｄ２と下部シール部４０Ｄとが密着することとなり、より気密性を高めることができる。そこで、上部シール部４０Ａ、中間シール部４０Ｂ、中間シール部４０Ｃ及び下部シール部４０Ｄを構成する材料としては、たとえば、熱交換素子６の自重に基づき、適度な弾性を有する樹脂などで構成するとよい。
【００５７】
［本実施の形態１に係る熱交換換気装置の有する効果］
本実施の形態１に係る熱交換換気装置は、第２のスライド部６０Ａ４が嵌まり込む嵌込部２５Ｃ２を有しているので、熱交換素子６のケーシング１内における設置位置が予め設定された位置からずれてしまいにくい。すなわち、熱交換素子６が予め設定された位置に納まりやすいので、給気路Ａと排気路Ｂとを連通してしまうような隙間が形成されにくく、その分、換気効率の低減を抑制できる。
より詳細には、熱交換素子６のフレーム（上部フレーム６０Ａ、中間フレーム６０Ｂ、中間フレーム６０Ｃ及び下部フレーム６０Ｄ）と、ケーシング１内に設けられ、隔壁としての機能を有する支持部（上部支持部２５、中間支持部２６、中間支持部２７及び下部支持部２８）及びシール部（上部シール部４０Ａ、中間シール部４０Ｂ、中間シール部４０Ｃ及び下部シール部４０Ｄ）との間に、隙間が形成されにくく、その分、換気効率が低減してしまうことを抑制することができる。
【００５８】
本実施の形態１に係る熱交換換気装置は、上部フレーム６０Ａと上部支持部２５との間のクリアランスを狭めることで、給気路Ａと排気路Ｂとを連通してしまうような隙間の形成を抑制したものではない。すなわち、本実施の形態１に係る熱交換換気装置では、嵌込部２５Ｃ２を利用して熱交換素子６の位置決めをしているものであり、上部フレーム６０Ａと上部支持部２５との間のクリアランスに余裕を持たせても、隙間の形成が抑制されるようになっている。このため、熱交換素子６をケーシング１から引き出しにくくなることが抑制される、すなわち熱交換素子６の挿抜動作の際に要する力を抑制できる。したがって、ユーザ及び管理会社などは、定期的な清掃、メンテナンス作業の負担が増大することを抑制することができる。
【００５９】
このように、本実施の形態１に係る熱交換換気装置は、換気効率の低減の抑制をすること、及び熱交換素子６をケーシング１から引き出しやすくすることを両立することを実現することができる。
【００６０】
なお、結合部６０Ａ１と上側角部６Ａとの接続手段については、特に限定されるものではないが、たとえば、接着剤を利用してもよいし、結合部６０Ａ１及び上側角部６Ａに爪構造を形成して嵌合させるようにしてもよい。その他の中間角部６Ｂ、中間角部６Ｃ及び下側角部６Ｄについても同様である。
【００６１】
また、上部支持部２５、中間支持部２６、中間支持部２７及び下部支持部２８に、上部シール部４０Ａ、中間シール部４０Ｂ、中間シール部４０Ｃ及び下部シール部４０Ｄを取り付ける手段については、特に限定されるものではない。たとえば、接着剤などを用いて実現してもよいし、或いは、上部支持部２５、中間支持部２６、中間支持部２７及び下部支持部２８に溝を形成し、上部シール部４０Ａ、中間シール部４０Ｂ、中間シール部４０Ｃ及び下部シール部４０Ｄにその溝に嵌める凸部を形成して実現してもよい。
【００６２】
本実施の形態１に係る熱交換換気装置では、図２に示すように、給気ファンユニット３がケーシング１内における中間支持部２６の上方に設置されているものを一例として模式的に示している。また、排気ファンユニット４については、ケーシング１内における中間支持部２７の上方に設置されているものを一例として模式的に示している。しかし、給気ファンユニット３及び排気ファンユニット４の設置態様は、これに限定されるものではない。たとえば、給気ファンユニット３のファンが、給気路Ａのうちの熱交換素子６の下流側に設置され、排気ファンユニット４のファンが、排気路Ｂのうちの熱交換素子６の下流側に設置されていればよい。
【００６３】
つまり、中間支持部２６は、給気ファンユニット３の下方に位置していなくともよいし、図２に模式的に示したように第２側面１ｂに取り付けられている必要もない。たとえば、中間支持部２６は、給気ファンユニット３を構成するファンケーシングの側面部分に取り付けられていてもよい。或いは、中間支持部２６は、給気ファンユニット３の側方に配置されるものであって、一端側が第３側面１ｃの内側面或いは第３側面１ｃ側の部材に接続され、他端側が第４側面１ｄの内側面或いは第４側面１ｄ側の部材に接続されている態様であってもよい。
【００６４】
中間支持部２７についても同様である。すなわち、中間支持部２７は、給気ファンユニット３の下方に位置していなくてもよいし、図２に模式的に示したように第１側面１ａに取り付けられている必要もない。たとえば、中間支持部２７は、給気ファンユニット３を構成するファンケーシングの側面部分に取り付けられていてもよい。或いは、中間支持部２７は、給気ファンユニット３の側方に配置されるものであって、一端側が第３側面１ｃの内側面或いは第３側面１ｃ側の部材に接続され、他端側が第４側面１ｄの内側面或いは第４側面１ｄ側の部材に接続されている態様であってもよい。
【００６５】
なお、第２のスライド部６０Ａ４と第２のレール部２５Ｃとの摺動抵抗を低減する目的で、第２のスライド部６０Ａ４上に突起を設けてもよい。また、第２のスライド部６０Ａ４と第２のレール部２５Ｃとの摺動抵抗を低減する目的で、第２のスライド部６０Ａ４上に車輪を設けてもよい。さらに、第２のスライド部６０Ａ４と第２のレール部２５Ｃとの摺動抵抗を低減する目的で、第２のスライド部６０Ａ４の表面を摩擦係数の低い部材でコーティングしてもよい。
【００６６】
実施の形態２．
図７は、実施の形態２に係る熱交換換気装置の上部支持部７０及び熱交換素子６の第１のスライド部６０Ａ３及び第２のスライド部８０１Ａ、８０２Ａ、８０３Ａの斜視図である。図８は、第２のスライド部８０１Ａ、８０２Ａ、８０３Ａが嵌込部７０１Ａ、７０２Ａ、７０３Ａに嵌りこんだ状態の説明図である。図７も、図４と同様にＺ１断面における左側について図示している。実施の形態２では、実施の形態１と同一の部材については同一の符号を付してその説明を省略し、主に、実施の形態１で説明した部分と異なる部分について説明をする。
【００６７】
本実施の形態２では、嵌込部２５Ｃ２の代わりに嵌込部７０１Ａ、７０２Ａ、７０３Ａを形成し、また、平坦部７０１Ｂ、平坦部７０２Ｂ及び平坦部７０３Ｂの長さが異なり、さらに、嵌込部７０１Ａ、嵌込部７０２Ａ及び嵌込部７０３Ａの幅が異なる。また、第２のスライド部８０１Ａ及び接続部８０１Ｂの幅が異なり、第２のスライド部８０２Ａ及び接続部８０２Ｂの幅が異なり、第２のスライド部８０３Ａ及び接続部８０３Ｂの幅が異なる。図７は、実施の形態２に係る熱交換換気装置の上部支持部７０の片側及び熱交換素子６の第１のスライド部６０Ａ３及び第２のスライド部８０１Ａ、８０２Ａ、８０３Ａの方側の斜視図である。図７を参照して、実施の形態２に係る熱交換換気装置について説明する。
【００６８】
本実施の形態２では、第２のレール部７００には、切欠部が形成されている。すなわち、嵌込部７０１Ａ、７０２Ａ、７０３Ａが、平坦部７０１Ｂ〜７０３Ｂの長手辺側の端部側に複数形成された切欠部で構成されている。そして、嵌込部７０１Ａには第２のスライド部８０１Ａが嵌りこみ、嵌込部７０１Ａには第２のスライド部８０１Ａが嵌りこみ、嵌込部７０２Ａには第２のスライド部８０２Ａが嵌りこみ、嵌込部７０３Ａには第２のスライド部８０３Ａが嵌りこむ。ここで、図８に示すように、第２のスライド部８０１Ａ、８０２Ａ、８０３Ａが嵌込部７０１Ａ、７０２Ａ、７０３Ａに嵌り込んだ状態においては、第２のスライド部８０１Ａ、８０２Ａ、８０３Ａの上面の高さ位置Ｌ１の方が、第２のレール部７００の下面の高さ位置Ｌ２よりも上側となっている。このため、ユーザなどが熱交換素子６を持ち上げて、第２のスライド部８０１Ａ、８０２Ａ、８０３Ａを第２のレール部７００上に載置する動作を容易とすることができる。仮に、高さ位置Ｌ１の方が、高さ位置Ｌ２よりも下側となっていると、第２のスライド部８０１Ａ、８０２Ａ、８０３Ａが第２のレール部７００に引っかかってしまう可能性があるためである。
【００６９】
また、本実施の形態２において、上部支持部７０及び上部フレームは、熱交換素子６をケーシング１に挿抜しているときに、第２のスライド部８０１Ａ及び第２のスライド部８０２Ａが、予め定められた嵌込部とは異なる嵌込部に嵌りこまないように構成されている。すなわち、上部支持部７０及び上部フレームは、第２のスライド部８０１Ａが嵌込部７０２Ａ及び嵌込部７０３Ａに嵌りこまないように、第２のスライド部８０２Ａが嵌込部７０３Ａに嵌りこまないように構成されている。具体的な各種寸法について次に説明する。
【００７０】
［嵌込部及び第２のスライド部の寸法］
嵌込部７０１Ａ、嵌込部７０２Ａ及び嵌込部７０３Ａは、Ｙ方向に平行な幅が異なっている。嵌込部７０１Ａ、嵌込部７０２Ａ及び嵌込部７０３Ａの順番に、Ｙ方向に平行な幅が短くなっている。すなわち、熱交換素子６の引き出し方向の一番手前側の嵌込部７０３Ａは、幅が一番短く、引き出し方向の一番奥側の嵌込部７０１Ａは、幅が一番長くなっている。図７に示すように、嵌込部７０１Ａの幅をＲｗ１、嵌込部７０２Ａの幅をＲｗ２、嵌込部７０３Ａの幅をＲｗ３としたとき、Ｒｗ３＜Ｒｗ２＜Ｒｗ１の関係にあるということである。
【００７１】
そして、嵌込部７０１Ａ、嵌込部７０２Ａ及び嵌込部７０３Ａの幅と対応するように、嵌込部７０１Ａに嵌まる第２のスライド部８０１Ａ、嵌込部７０２Ａに嵌まる第２のスライド部８０２Ａ、及び嵌込部７０３Ａに嵌まる第２のスライド部８０３Ａの幅も、この順番で短くなっている。すなわち、熱交換素子６の引き出し方向の一番手前側の８０３Ａの幅が一番短く、熱交換素子６の引き出し方向の一番奥側の第２のスライド部８０１Ａの幅が一番長い。図７に示すように、第２のスライド部８０１Ａの幅をＳｗ１、第２のスライド部８０２Ａの幅をＳｗ２、第２のスライド部８０３Ａの幅をＳｗ３としたとき、Ｓｗ３＜Ｓｗ２＜Ｓｗ１の関係にあるということである。
なお、第２のスライド部８０１Ａの幅と接続部８０１Ｂの幅は同様であり、第２のスライド部８０２Ａの幅と接続部８０２Ｂの幅は同様であり、第２のスライド部８０３Ａの幅と接続部８０３Ｂの幅は同様である。
【００７２】
このように、上部支持部７０は、熱交換素子６の長手方向に、第２のスライド部８０１Ａ、第２のスライド部８０２Ａ、及び第２のスライド部８０３Ａという複数のものが形成されている。そして、第２のスライド部８０１Ａ、第２のスライド部８０２Ａ、及び第２のスライド部８０３Ａは、熱交換素子６の長手方向に異なる間隔で複数形成されている。
【００７３】
［平坦部及び接続部の形成位置の寸法］
平坦部７０１Ｂ、平坦部７０２Ｂ及び平坦部７０３Ｂは、Ｙ方向に平行な幅が異なっている。平坦部７０１Ｂ、平坦部７０２Ｂ及び平坦部７０３Ｂの順番に、Ｙ方向に平行な幅が短くなっている。すなわち、熱交換素子６の引き出し方向の一番手前側の平坦部７０３Ｂは、幅が一番短く、引き出し方向の一番奥側の平坦部７０１Ｂは、幅が一番長くなっている。図７に示すように、平坦部７０１Ｂの幅をＲ１、平坦部７０２Ｂの幅をＲ２、平坦部７０３Ｂの幅をＲ３としたとき、Ｒ３＜Ｒ２＜Ｒ１の関係にあるということである。
【００７４】
そして、平坦部７０１Ｂ、平坦部７０２Ｂ及び平坦部７０３Ｂの幅と対応するように、接続部８０１Ｂの第１のスライド部６０Ａ３における形成位置、接続部８０２Ｂの第１のスライド部６０Ａ３における形成位置、及び接続部８０３Ｂの第１のスライド部６０Ａ３における形成位置の幅も、この順番で短くなっている。すなわち、熱交換素子６の引き出し方向の一番手前側の接続部８０３Ｂと第１のスライド部６０Ａ３の手前側の端部との間の幅が一番短く、熱交換素子６の引き出し方向の一番奥側の接続部８０１Ｂと真ん中の接続部８０２Ｂとの間の幅が一番長い。図７に示すように、一番奥側の接続部８０１Ｂと真ん中の接続部８０２Ｂとの間の幅をＳ１、真ん中の接続部８０２Ｂと一番手前側の接続部８０３Ｂとの間の幅をＳ２、一番手前側の接続部８０３Ｂと第１のスライド部６０Ａ３の手前側の端部との間の幅をＳ３としたとき、Ｓ３＜Ｓ２＜Ｓ１の関係にあるということである。
【００７５】
なお、図７に示すＳｈは、第１のレール部２５Ｂと第２のレール部７００との間の間隔を示している。また、Ｒｈは、第１のスライド部６０Ａ３と第２のスライド部８０１Ａ、８０２Ａ、８０３Ａとの間の間隔を示している。
【００７６】
［実施の形態２に係る熱交換換気装置の有する効果］
実施の形態２に係る熱交換換気装置は、実施の形態１に係る熱交換換気装置の有する効果に加えて次の効果を有する。すなわち、本実施の形態２に係る熱交換換気装置は、嵌込部及び第２のスライド部の寸法で説明した関係及び平坦部及び接続部の形成位置の寸法で説明した関係の両方を満たしている。このため、熱交換素子６の挿抜時に、第２のスライド部８０１Ａ、８０２Ａ、８０３Ａと第２のレール部７００との接触が解除されてしまうことを防止することができる。すなわち、熱交換素子６を途中まで挿し込んだとき、或いは途中まで抜いたときに、第２のスライド部８０１Ａ、８０２Ａ、８０３Ａが第２のレール部７００から脱落してしまうことを防止することができる。
なお、嵌込部及び第２のスライド部の寸法で説明した関係、及び平坦部及び接続部の形成位置の寸法のいずれか一方の関係を満たせば同様の効果を得ることができるが、両方満たしている方が、より確実に第２のスライド部８０１Ａ、８０２Ａ、８０３Ａと第２のレール部７００との接触が解除されてしまうことを防止することができる。
【符号の説明】
【００７７】
１  ケーシング、１Ａ  底面、１Ｂ  天板、１ａ  第１側面、１ａ１  熱交換素子メンテナンスパネル、１ａ２  回路ボックス、１ｂ  第２側面、１ｃ  第３側面、１ｄ  第４側面、３  給気ファンユニット、４  排気ファンユニット、５  制御装置、６  熱交換素子、６Ａ  上側角部、６Ｂ  中間角部、６Ｃ  中間角部、６Ｄ  下側角部、２１  外気吸込口、２２  外気吹出口、２３  室内空気吸込口、２４  室内空気吹出口、２５  上部支持部、２５Ａ  接続部、２５Ｂ  第１のレール部、２５Ｃ  第２のレール部、２５Ｃ１  平坦部、２５Ｃ２  嵌込部、２６  中間支持部、２７  中間支持部、２８  下部支持部、４０Ａ  上部シール部、４０Ｂ  中間シール部、４０Ｃ  中間シール部、４０Ｄ  下部シール部、６０Ａ  上部フレーム、６０Ａ１  結合部、６０Ａ２  上部仕切部、６０Ａ３  第１のスライド部、６０Ａ４  第２のスライド部、６０Ａ５  接続部、６０Ｂ  中間フレーム、６０Ｂ１  結合部、６０Ｂ２  中間仕切部、６０Ｃ  中間フレーム、６０Ｃ１  結合部、６０Ｃ２  中間仕切部、６０Ｄ  下部フレーム、６０Ｄ１  結合部、６０Ｄ２  下部仕切部、６１  熱交換部材、７０  上部支持部、７００  第２のレール部、７０１Ａ  嵌込部、７０１Ｂ  平坦部、７０２Ａ  嵌込部、７０２Ｂ  平坦部、７０３Ａ  嵌込部、７０３Ｂ  平坦部、８０１Ａ  第２のスライド部、８０１Ｂ  接続部、８０２Ａ  第２のスライド部、８０２Ｂ  接続部、８０３Ａ  第２のスライド部、８０３Ｂ  接続部、Ａ  給気路、Ａ１  矢印、Ｂ  排気路、Ｂ１  矢印、Ｌ１  高さ位置、Ｌ２  高さ位置、Ｙ  矢印、ｔ  距離。
【図１】
2015114013.tif 000003
【図２】
2015114013.tif 000004
【図３】
2015114013.tif 000005
【図４】
2015114013.tif 000006
【図５】
2015114013.tif 000007
【図６】
2015114013.tif 000008
【図７】
2015114013.tif 000009
【図８】
2015114013.tif 000010